(57)【要約】【課題】本考案は、部品点数が少なく、組立が容易な管形ヒューズ用ヒューズホルダーを提供するものである。【解決手段】本考案は、ガイドレール部及び溝部を設けた絶縁性と剛性を有する基台１１と、この基台１１のガイドレール部に差し込まれる２個のバネ性を有するクリップ端子１２からなり、各クリップ端子１２は固定用突起部を有し、前記基台１１に設けられた溝部に前記クリップ端子１２を差し込むことでクリップ端子１２を基台１１に取付ける構造であって、当該クリップ端子１２の基台１１への挿入性を上げる挿入補助溝を基台１１に設けたことを特徴とし、プレス成形したクリップ端子１２を基台１１に差し込むだけで組立が可能なヒューズホルダーである。【選択図】図１
0003212088.tif 000002
【実用新案登録請求の範囲】
【請求項１】
ガイドレール部及び溝部を設けた絶縁性と剛性を有する基台と、この基台のガイドレール部に差し込まれる２個のバネ性を有するクリップ端子からなり、各クリップ端子は固定用突起部を有し、前記基台に設けられた溝部に前記クリップ端子を差し込むことでクリップ端子を基台に取付ける構造であって、当該クリップ端子の基台への挿入性を上げる挿入補助溝を基台に設けたことを特徴とし、プレス成形したクリップ端子を基台に差し込むだけで組立が可能なヒューズホルダー。
【請求項２】
クリップ端子において、管形ヒューズの口金を挟み込み電気伝導性を確保するクリップ部は溝を設けクリップ力を調節可能とすることを特徴とする請求項１に記載のヒューズホルダー。
【考案の詳細な説明】
【技術分野】
【０００１】  本考案は、部品点数が少なく、組立が容易な管形ヒューズ用ヒューズホルダーに関するものである。
【背景技術】
【０００２】  従来、この種のヒューズホルダーは、図５に示すように絶縁性と剛性を有する基台５０と管形ヒューズを固定し電気的接続を確保する金属製のクリップ５１及び当該クリップから配線接続を行うためのコネクタ端子５２及びクリップと端子を基台に取付けるためのリベット５３から構成されている。
【先行技術文献】
【非特許文献】
【０００３】
【非特許文献１】「エス・オー・シー株式会社  製品カタログ」、［ｏｎｌｉｎｅ］、エス・オー・シー株式会社、２０１６年３月、ｐ．１４６、［平成２９年５月２６日検索］、インターネット＜ＵＲＬ：ｈｔｔｐ：／／ｗｗｗ．ｓｏｃｆｕｓｅ．ｃｏｍ／ｊ／ｐｒｏｄｕｃｔｓ／ｐｄｆ／Ｊ＿Ｃａｔａｌｏｇ＿２０１６０３．ｐｄｆ＞
【考案の概要】
【考案が解決しようとする課題】
【０００４】  前記の非特許文献１に記載の図５のヒューズホルダーは、３０Ａの定格電流を持つ管形ヒューズ用のヒューズホルダーであるが、標準規格のコネクタ端子５２は０．８ｍｍの端子厚みを必要とする一方、クリップ５１はヒューズの挿抜力の規格値を実現するために０．５ｍｍのばね材を使用することが適当であり、端子部とクリップ部は別部品となり、部品点数が増加する要因となっている。【０００５】  また、非特許文献１に記載の図６に示す定格電流値１５Ａのヒューズホルダーにおいてはコネクタ端子６２の厚みは０．５ｍｍで、端子６２とクリップ６１は０．５ｍｍのばね材で一体化が可能であり、また、同非特許文献１に記載の図７の管径が１０．３ｍｍの規格に対応するヒューズホルダーに関しては定格電流値が３０Ａであっても挿抜力を確保するためにクリップ７１の板厚を０．８ｍｍとし、コネクタ端子７２と同様の厚みとなるため一体化が可能であり、これらのヒューズホルダーはクリップと端子が一体となっている。しかし、図６のヒューズホルダーでは基台６０へリベット６３により固定し、また、図７のヒューズホルダーでは基台７０への固定はクリップ７１と端子７２が一体のクリップ端子を基台７０に挿入し、その後、クリップ端子抜け留めピン７３を曲げることにより抜け止め防止を行うことから、組立の容易性は十分とは言えない。
【課題を解決するための手段】
【０００６】  本考案は部品点数が少なく、組立が容易なヒューズホルダーを提供することを目的とし、上記従来の課題を解決するもので、以下の構成を有するものである。【０００７】  本考案の請求項１に記載の考案は、ガイドレール部１３、溝部１４を設けた絶縁性と剛性を有する基台１１と、この基台１１のガイドレール部１３に差し込まれる２個のバネ性を有するクリップ端子１２からなり、各クリップ端子１２は固定用突起部１６を有し、前記基台１１に設けられた溝部１４に前記クリップ端子１２を差し込むことでクリップ端子１２を基台１１に取付ける構造であって、当該クリップ端子１２の基台１１への挿入性を上げる挿入補助溝１５を基台１１に設けたことを特徴とし、プレス成形したクリップ端子１２を基台１１に差し込むだけで組立が可能なヒューズホルダーである。【０００８】  本考案の請求項２に記載の考案は、クリップ端子１２において、管形ヒューズの口金を挟み込み電気伝導性を確保するクリップ部１７は溝１８を設け、クリップ圧力を調節可能とし、図５の従来例において課題であったクリップ５１とコネクタ端子５２とが別部品となることを回避し、クリップとコネクタ端子を一体化することが可能となる。
【考案の効果】
【０００９】  これらにより本考案になるヒューズホルダーは、ヒューズクリップと外部接続端子を１部品化したクリップ端子がヒューズの両極分計２点及び基台部品１点の合計３点の構成となり、部品点数が少なく、したがって、クリップ端子を基台に挿入するだけの組立となり、組立が容易となる作用効果がある。
【図面の簡単な説明】
【００１０】
【図１】ヒューズホルダーの斜視図
【図２】ヒューズホルダーの基台の斜視図
【図３】（ａ）はヒューズホルダー基台の平面図、（ｂ）は（ａ）のＡ−Ａ線断面図
【図４】（ａ）はクリップ端子の斜視図、（ｂ）は（ａ）のＡ−Ａ線断面図
【図５】（ａ）は従来例のヒューズホルダー（管径６．３５ｍｍ、定格電流３０Ａ用）の平面図、（ｂ）は（ａ）のＡ−Ａ線部分断面図
【図６】（ａ）は従来例のヒューズホルダー（管径５．２ｍｍ、定格電流１５Ａ用）の平面図、（ｂ）は（ａ）のＡ−Ａ線部分断面図
【図７】（ａ）は従来例のヒューズホルダー（管径１０．３ｍｍ、定格電流３０Ａ用）の平面図、（ｂ）は（ａ）のＡ−Ａ線片側断面図
【考案を実施するための形態】
【００１１】  以下に本考案の請求項１及び２に記載の考案を、その一実施例を示す図面を用いて説明する。
【実施例１】
【００１２】  図１は本考案になるヒューズホルダーの斜視図、図２は同ヒューズホルダーの基台の斜視図、図３（ａ）は同基台の平面図、図３（ｂ）は同基台の断面図、図４（ａ）はクリップ端子の斜視図、図４（ｂ）は同クリップ端子の断面図である。【００１３】  図１、図２、図３及び図４に示すように、本考案の実施例１におけるヒューズホルダーはガイドレール部１３、溝部１４を設けた絶縁性と剛性を有する基台１１と、この基台１１のガイドレール部１３に差し込まれる２個のバネ性を有するクリップ端子１２からなり、各クリップ端子１２は固定用突起部１６を有し、前記基台１１に設けられた溝部１４に前記固定用突起部１６を差し込むことでクリップ端子１２を基台１１に取付ける構造であって、当該クリップ端子１２の基台１１への挿入性を上げる挿入補助溝１５を基台１１に設けたことを特徴とし、プレス成形したクリップ端子１２を基台１１に差し込むだけで組立が可能なヒューズホルダーである。【００１４】  図４に示すように、本考案の実施例１におけるヒューズホルダーのクリップ端子１２は、そのクリップ部１７の付け根部にスリット状の溝１８が設けられており、当該溝１８によってクリップ部１７の剛性を低減し、ヒューズ挿抜力の適正化を図っている。
【符号の説明】
【００１５】１１  基台
１２  クリップ端子
１３  基台のガイドレール部
１４  基台のクリップ端子固定溝部
１５  基台の挿入補助溝
１６  クリップ端子の固定用突起部
１７  クリップ端子のクリップ部
１８  クリップ端子クリップ部の溝
１９  基台のネジ穴
５０  基台
５１  クリップ
５２  コネクタ端子
５３  リベット
６０  基台
６１  クリップ
６２  コネクタ端子
６３  リベット
７０  基台
７１  クリップ
７２  コネクタ端子
７３  クリップ端子抜け留めピン
【図１】
0003212088.tif 000003
【図２】
0003212088.tif 000004
【図３】
0003212088.tif 000005
【図４】
0003212088.tif 000006
【図５】
0003212088.tif 000007
【図６】
0003212088.tif 000008
【図７】
0003212088.tif 000009